(57)【要約】【課題】簡易に施工することができるとともに適切に隅部に配置される一対の壁板材の端部を隠蔽することが可能な隅部見切部材を提供する。【解決手段】建物の隅部に配置される一対の壁板材６７、６８の端部間に具備される隅部見切材１０、２０、３０であって、長手方向に直交する断面に表れる形状において、所定の角度を有して端部同士が連結される一対の片１１、１２、１７、２１、２２、２７、３１、３２であるベース片と、ベース片の一方の片の面に一体に設けられ、所定の角度を有して端部同士が連結される複数の片１３〜１６、２３〜２６、３３、３４を有するＬ字状片と、を備え、ベース片とＬ字状片により、三方をいずれかの片により囲まれ、一方が開口するコ字状部Ｃ、Ｄが少なくとも２つ形成されることを特徴とする。【選択図】図２
2009293313.tif 000002
【特許請求の範囲】
【請求項１】
建物の隅部に配置される一対の壁板材の端部間に具備される隅部見切部材であって、
長手方向に直交する断面に表れる形状において、
所定の角度を有して端部同士が連結される一対の片であるベース片と、
前記ベース片の一方の片の面に一体に設けられ、所定の角度を有して端部同士が連結される複数の片を有するＬ字状片と、を備え、
前記ベース片と前記Ｌ字状片とにより、三方をいずれかの前記片により囲まれ、一方が開口するコ字状部が少なくとも２つ形成されることを特徴とする隅部見切部材。
【請求項２】
前記コ字状部のうち１つのコ字状部は、前記ベース片の一対の片と、前記Ｌ字状片の１つの片とにより三方を囲まれて形成され、
前記コ字状部のうち他のコ字状部は、前記ベース片のうち１つの片と、前記Ｌ字状片の複数の片とにより三方を囲まれて形成されていることを特徴とする請求項１に記載の隅部見切部材。
【請求項３】
前記ベース片及び前記Ｌ字状片が、折り曲げられた一枚の板材よりなることを特徴とする請求項１又は２に記載の隅部見切部材。
【請求項４】
請求項１〜３のいずれか一項に記載の隅部見切部材を備える外壁であって、
前記ベース片のうち前記Ｌ字状片を具備しない側の面が前記建物の隅部に沿って配置され、前記ベース片のうち前記Ｌ字状片が室外側に向けられるとともに、
前記コ字状部には前記一対の壁板材のそれぞれの端部が挿入されることを特徴とする外壁。
【発明の詳細な説明】
【技術分野】
【０００１】
本発明は、建物の隅部に配置される一対の壁板材の端部により形成される目地部に用いられる隅部見切部材、及び該隅部見切部材を備える壁構造に関する。
【背景技術】
【０００２】
従来、建物入隅部は例えば図９に示したように形成されていた。すなわち、入隅部１００において、一対の壁板材１０１、１０２の入隅側端部はその間隙により目地を形成する。当該目地には、いわゆるハット型部材１０３が配置され、壁板材１０１の端部は、当該ハット型部材１０３により室外視から隠蔽され、ハット型部材１０３の凸部室外側において、壁板材１０２の端面と壁板材１０１の端部側面との間にシーリング剤１０４が充填されていた。
【０００３】
また、入隅部に用いられるいわゆる入隅見切部材も提案されており、これには例えば特許文献１、２のようなものを挙げることができる。これら入隅見切部材によれば、いずれも施工が容易で外観を良くすることができるとされている。
【特許文献１】特開２００３−９７０１８号公報
【特許文献２】特開２００３−６４８４５号公報
【発明の開示】
【発明が解決しようとする課題】
【０００４】
しかしながら、図９で例を示したような従来における入隅部１００の構成では、シーリング剤１０４を充填させる必要があるため、施工に手間を要し、工期が長くなる虞があった。また、壁板材１０２の端部が露出しているので、外観や、端部からの壁板材の劣化等の観点から改善すべき点があった。
【０００５】
一方、特許文献１、２に記載の入隅見切部材は、このような問題点は解決することができる一方、これらは、分割された２部材により形成され、施工時にこれを組み合わせることが必要であるため、手間がかかることがあった。
【０００６】
そこで本発明は、これら問題点に鑑み、簡易に施工することができるとともに適切に隅部に配置される一対の壁板材の端部を隠蔽することが可能な隅部見切部材、及び該隅部見切部材を備える壁構造を提供することを課題とする。
【０００７】
以下、本発明について説明する。ここではわかり易さのため図面に記載した符号も合わせて記載するが、本発明はこれに限定されるものではない。
【課題を解決するための手段】
【０００８】
請求項１に記載の発明は、建物の隅部に配置される一対の壁板材（６７、６８）の端部間に具備される隅部見切部材（１０、２０、３０）であって、長手方向に直交する断面に表れる形状において、所定の角度を有して端部同士が連結される一対の片（１１、１２、１７、２１、２２、２７、３１、３２）であるベース片と、ベース片の一方の片の面に一体に設けられ、所定の角度を有して端部同士が連結される複数の片（１３〜１６、２３〜２６、３３、３４）を有するＬ字状片と、を備え、ベース片とＬ字状片とにより、三方をいずれかの片により囲まれ、一方が開口するコ字状部（Ｃ、Ｄ）が少なくとも２つ形成されることを特徴とする隅部見切部材を提供することにより前記課題を解決する。
【０００９】
ここで、「隅部」とは、建物の入隅部、出隅部、及び天井と壁が形成する隅部を含む概念である。
【００１０】
請求項２に記載の発明は、請求項１に記載の隅部見切部材（１０、２０、３０）のコ字状部のうち１つのコ字状部は、ベース片の一対の片（１１、１２、２１、２２、３１、３２）と、Ｌ字状片の１つの片（１３、２３、３３）とにより三方を囲まれて形成され、コ字状部のうち他のコ字状部は、ベース片のうち１つの片（１７、２７、３２）と、Ｌ字状片の複数の片（１５、１６、２５、２６、３３、４４）とにより三方を囲まれて形成されていることを特徴とする。
【００１１】
請求項３に記載の発明は、請求項１又は２に記載の隅部見切部材（１０、２０）の、ベース片及びＬ字状片が、折り曲げられた一枚の板材よりなることを特徴とする。
【００１２】
請求項４に記載の発明は、請求項１〜３のいずれか一項に記載の隅部見切部材（１０、２０、３０）を備える外壁であって、ベース片のうちＬ字状片を具備しない側の面が建物の隅部に沿って配置され、ベース片のうちＬ字状片が室外側に向けられるとともに、コ字状部（Ｃ、Ｄ）には一対の壁板材（６７、６８）のそれぞれの端部が挿入されることを特徴とする外壁を提供することにより前記課題を解決する。
【発明の効果】
【００１３】
本発明の隅部見切部材、及び該隅部見切部材を備える外壁によれば、簡易に施工することができるとともに適切に隅部に配置される一対の壁板材の端部を隠蔽することができる。
【００１４】
本発明のこのような作用及び利得は、次に説明する発明を実施するための最良の形態から明らかにされる。ただし本発明はこれに限定されるものではない。
【発明を実施するための最良の形態】
【００１５】
以下本発明を図面に示す実施形態に基づき説明する。
【００１６】
図１は第一実施形態に係る隅部見切部材としての、入隅見切部材１０の外観斜視図である。また図２には、入隅見切部材１０の長手方向に直交する断面を示した。図１、及び図２からわかるように、入隅見切部材１０は、図２に示した断面を有して長手方向に延在する長尺の部材である。
【００１７】
入隅見切部材１０は、図２に表される断面において、片１１及び片１２を有し、該片１１、片１２の一端が連結されて略Ｌ字状に形成されている。片１１の端部のうち片１２に連結されていない端部は折り返されるよう形成される折り返し片１１ａが設けられている。片１２の端部のうち片１１に連結しない端部からは、片１１側で片１２に略直交し、片１１に略平行に片１３が延在している。さらに片１３の端部のうち片１２に連結されていない端部から片１１から離隔する方向に片１２と略平行に片１４が延在している。
【００１８】
片１４の端部のうち片１３に連結されていない端部からは折り返されるように形成され、片１４、及び片１３に沿って設けられる片１５、片１６が具備されている。片１６の端部のうち片１５に連結されていない端部からはさらに片１７が延在している。片１７は、片１２の延長線上に沿って配置され、その端部は折り返されて折り返し片１７ａが設けられている。
【００１９】
ここで、片１１、片１２、及び片１７により１つの略Ｌ字状であるベース片が形成される。片１２と片１７とは直接は連結されていないが、片１２と片１７とは一直線上にあり、以下、これをもって１つの片とすることもある。片１１と片１２、片１７とは、所定の角度を有してＬ字状に形成されている。本実施形態では最も一般的な入隅部の態様に合わせてこれを略直角とした。従って、当該角度は入隅部の態様に合わせて適宜変更することができる。また、片１３、１４、１５、１６によりＬ字状片が形成されている。
【００２０】
図２にＡ、及びＢで示した大きさは、後で説明するようにここに挿入する壁板材６７、６８（図５〜図７参照。）の厚さと略同一又はこれより若干大きくされている。
【００２１】
このように入隅見切部材１０は、一体化した一つの部材から形成され、図２にＣ、Ｄで示した２つのコ字状部を備えている。一方のコ字状部Ｃは、ベース片の一部である片１１、１２、及びＬ字状片の一部である片１３により三方を囲まれるように形成されている。また、他方のコ字状部Ｄは、ベース片の一部である片１７と、Ｌ字状片の一部である片１５、１６とに三方を囲まれるように形成されている。そして当該コ字状部は壁板材６７、６８を適切に挿入できるように開口されている。このような入隅見切部材１０の構成により、１つの部材で入隅見切部材を形成でき、２枚の壁板材６７、６８の端部を隠蔽させることが可能となる。従って施工性を向上させ、外観を優れたものとすることができるとともに壁板材６７、６８を保護することも可能となる。
【００２２】
ここで、当該コ字状部Ｃ、Ｄの深さに相当するＦ、Ｇにおいて、Ｆは上記Ｂと概ね同じ大きさを確保することができる。これによりここに配置される壁板材の施工誤差や端面が斜めに切断されている場合、又は合じゃくり形状も、適切に室外視から隠蔽することができる。また、図２にＧで示した大きさは片１４、１５の長さにより決まるが、これも施工誤差等を隠蔽して吸収できるように形成すればよい。例えば、当該入隅部以外の部位における壁板材の目地幅と、当該Ｇで示した大きさとを同じ大きさとすることにより、外壁の外観の統一を図ることができる。
【００２３】
入隅見切部材１０に用いられる材料の材質は特に限定されるものではないが、加工性やコスト等の観点から、アルミニウムや亜鉛めっき鋼板、ステンレス鋼板等の各種鋼板を用いることができる。
【００２４】
以上説明したように、上記したような２つのコ字状部を形成することができれば本発明の入隅見切部材とすることができる。図３、図４に第二、第三実施形態に係る入隅見切部材２０、３０の断面図を示した。
【００２５】
入隅見切部材２０は、図３に表される断面において、片２１及び片２２を有し、該片２１、片２２の一端が連結されて略Ｌ字状に形成されている。片２１の端部のうち片２２に連結されていない端部は折り返されるよう形成される折り返し片２１ａが設けられている。また、片２１には、片２２が延在する側と同じ側に凸となる凸部２１ｂ、２１ｃが設けられている。
【００２６】
片２２の端部のうち片２１に連結しない端部からは、片２１側で片２２に略直交し、片２１に略平行に片２３が延在している。さらに片２３の端部のうち片２２に連結されていない端部から片２１から離隔する方向に片２２と略平行に片２４が延在している。片２４の端部のうち片２３に連結されていない端部からは折り返されるように形成され、片２４、及び片２３に沿って設けられる片２５、片２６が具備されている。
【００２７】
片２６の端部のうち片２５に連結されていない端部からはさらに片２７が延在している。片２７は、片２２の延長線上に沿って配置され、その端部は折り返されて折り返し片２７ａが設けられている。また、片２７には、片２６が延在する側と同じ側に凸となる凸部２７ｂ、２７ｃが設けられている。
【００２８】
このように、凸部２１ｂ、２１ｃ、２７ｂ、２７ｃを設けることにより、リブとしての効果を奏し、当該入隅見切部材の強度を向上させることができる。また、製造時においても曲げ加工時に生じるねじれを小さく抑えることが可能となり、精度のよい入隅見切部材を提供することができる。
また、入隅見切部材を用いた外壁において、入隅見切部材と壁板材との間に水が浸入したときに止水機能を有し、上記折り返し片２１ａ、２７ａと合わせて二重の止水機能を確保することが可能である。
さらには、壁板材の端部を入隅見切部材のコ字状部に挿入し、固定部材（例えば釘）により固定するときには折り返し片２１ａ、２７ａと、凸部２１ｂ、２１ｃ、２７ｂ、２７ｃの両方で壁板材を受けることができ、折り返し片２１ａ、２７ａへの負荷を減らすこともできる。かかる観点からは、折り返し片２１ａ、２７ａの突出量と凸部２１ｂ、２１ｃ、２７ｂ、２７ｃの突出量は同程度であることが好ましい。
【００２９】
ここで、片２１、片２２、及び片２７により１つの略Ｌ字状であるベース片が形成される。片２２と片２７とは直接は連結されていないが、片２２と片２７とは一直線上にあり、これをもって１つの片とする。片２１と片２２、片２７とは、所定の角度を有してＬ字状に形成されている。本実施形態では最も一般的な入隅部の態様に合わせてこれを略直角とした。従って、当該角度は入隅部の態様に合わせて適宜変更することができる。また、片２３、２４、２５、２６によりＬ字状片が形成されている。
【００３０】
このような入隅見切部材２０によっても本発明の上記効果を奏することができる。
【００３１】
入隅見切部材１０、２０は、例えば１枚の長尺である板材を折り曲げることにより製造することができる。このように１枚の板材を折り曲げて形成することができるので、溶接等を用いるより容易に製造することが可能である。また、折り曲げにより形成することにより、折り返し片１１ａ、１７ａ、及び片１４、１５における折り返し部で、切断面が露出しないので、外観を向上させることができるとともに、劣化も防止することが可能となる。また、当該折り返し片１１ａ、１７ａは、片１１、１７に対して突出しているので、外壁材と片１１、１７との間に水が浸入したときにも止水することができ、躯体側への水の流れを防止することも可能となる。
【００３２】
第三実施形態に係る入隅見切部材３０は、図４に表される断面において、片３１及び片３２を有し、該片３１、片３２の一端が連結されて略Ｌ字状に形成されている。片３２の片３１が延在する側の面からは、該面に直交し、片３１に平行に延在する片３３が設けられている。また片３３の端部のうち片３２に連結されていない端部からは片３１から離隔する方向に片３２と略平行に片３４が延在している。
【００３３】
ここで、片３１と片３２とにより１つの略Ｌ字状であるベース片が形成される。片３１と片３２とは、所定の角度を有してＬ字状に形成されている。本実施形態では最も一般的な入隅部の態様に合わせてこれを略直角とした。従って、当該角度は入隅部の態様に合わせて適宜変更することができる。また、片３３、３４によりＬ字状片が形成されている。
【００３４】
入隅見切部材３０によっても２つのコ字部が形成され、本発明の入隅見切部材とすることができる。入隅見切部材３０によれば、上記した入隅見切部材１０の片１３と片１６、及び片１４と片１５が一体に形成されている。従って、入隅見切部材３０は、例えば押出加工等により製造することができる。
【００３５】
次に、入隅見切部材１０を例に、該入隅見切部材１０に壁板材６７、６８が配置され、建物の入隅部を形成している場面について説明する。図５は建物の入隅部に注目した断面図、図６は、図５のうち入隅見切部材１０が配置された部分に注目して拡大して示した図である。図５、図６に示した入隅部では、紙面右上が室外側、紙面左下が室内側である。図７は、入隅見切部材１０に壁板材６７、６８を配置した場面を模式的に示した外観斜視図である。
【００３６】
入隅部では、躯体５０が設けられ、該躯体５０の２つの室内側面には内壁材５１、５２が取り付けられている。内壁材５１、５２の室外側には、断熱材５３、５４が配設されている。その室外側にはさらに躯体５７、５８が具備されており、その室外側には下地材５９、６０が設けられている。下地材５９、６０は、固定部材６３、６４により躯体５７、５８に固定されている。
【００３７】
入隅見切部材１０は、当該下地材５９、６０の室外側面に固定部材６５、６６により取り付けられる。具体的には入隅見切部材１０のベース片の面のうちＬ字状片が設けられていない側の面を下地材５９、６０の面に接触させて配置する。
【００３８】
壁板材６７は、その端部が入隅見切部材１０の片１５、１６、１７で囲まれるコ字状部に差し込まれて配置され、固定部材６１により下地材５９に固定される。同様に壁板材６８は、その端部が入隅見切部材１０の片１１、１２、１３で囲まれるコ字状部に差し込まれて配置され、固定部材６２により下地材６０に固定される。
【００３９】
このような外壁により、図５〜図７からわかるように適切に壁板材６７、６８の端部を適切に隠蔽させることができる。これにより外観を向上させ、壁板材６７、６８の端部を保護することが可能となる。また、入隅見切部材１０は上記したように１つの部材なので、その施工も容易である。
【００４０】
さらに、入隅見切部材１０では、Ｌ字状片により２枚の壁板材６７、６８の端部における側面及び端面を同時に隠蔽することができる構造であるから、室外側に露出する部分を片１４のみとすることができる。従って、室外に露出する部分を小さく抑えることが可能となりかかる観点からも外観を向上させることができる。
【００４１】
以上説明した入隅見切部材１０、２０、３０は必要に応じて着色されていてもよい。これによりさらに外観に優れたものとすることができる。ここで図２に示したコ字状部Ｃ、Ｄの内側についても、特に図２にＥ、Ｆの面も着色することが好ましい。コ字状部Ｃ、Ｄに凹凸の激しい壁板材が差し込まれたときに、凹部を介してＥ面、Ｆ面が室外側から見えることがあるが、ここに着色を施しておくことにより外観が損なわれることを防止することができる。当該着色は成形後に別途行われてもよいが、あらかじめ塗装された板材を加工することによってでもよい。
【００４２】
ここまでは、外壁における入隅部に用いられる入隅見切部材について説明したが、建物の隅部であって、ここに２枚の板状部材が配置される部分であれば本発明の隅部見切部材を適用することができる。以下に説明する。
【００４３】
図２に示した隅部見切部材１０は、外壁板と天井板（軒天）とが形成する隅部に適用することもできる。このときには、図２に示した入隅見切部材の片１１を天井面、片１２、１７を壁に沿って配置し、図２にＡで示した部分には軒天材を、Ｂで示した部分には外壁材の上端部を差し込むことで当該入隅部を形成することができる。この場合には、片１４〜１６が水切りの機能を果たすこともできる。その際には、片１３に付着する水を排出するため、水抜き孔を設けたり、片１３と片１４とのなす角度を適宜設定することができる。
【００４４】
図８は、他の実施形態に係る隅部見切部材としての、出隅見切部材８０の長手方向に直交する断面である。出隅見切部材８０は、図８に示した断面を有して長手方向に延在する長尺の部材である。
【００４５】
出隅見切部材８０は、図８に表される断面において、片８１及び片８２を有し、該片８１、片８２の一端が連結されて略Ｌ字状に形成されている。片８１の端部のうち片８２に連結されていない端部は折り返されるように片８３が延在する。片８３は片８１よりも長く形成されている。片８３の端部のうち片８１に連結しない端部からは、片８４が、片８２から離隔する方向に片８３に略直交して設けられている。さらに片８４の片８３と連結されていない端部は片８４に略直交し、片８１側に戻るように片８５が延在している。片８５の先端には折り返し片８５ａが形成されている。
【００４６】
一方、片８２の端部のうち片８１に連結されていない端部は折り返されるように片８６が延在する。片８６は片８３に達する位置まで形成されている。片８６の端部のうち片８２に連結されない端部からは、片８７が、片８３に沿って設けられている。さらに片８７の片８６と連結されていない端部は片８７に略直交し、片８４を延長するように片８８が延在している。片８８の先端には折り返し片８８ａが形成されている。
【００４７】
ここで、片８１、片８２、片８３及び片８６により１つの略Ｌ字状であるベース片が形成される。当該ベース片は所定の角度を有してＬ字状に形成されている。本実施形態では最も一般的な出隅部の態様に合わせてこれを略直角とした。
【００４８】
このように出隅見切部材８０は、一体化した一つの部材から形成され、片８３、片８４、及び片８５により形成されるコ字状部、及び片８６（８２）、片８７、及び片８８により形成されるコ字状部を備えている。そして当該コ字状部に図８に破線で示した壁板材９０、９１の端部を適切に挿入することにより出隅部を形成できる。このような出隅見切部材８０の構成により、１つの部材で出隅見切部材を形成でき、２枚の壁板材９０、９１の端部を隠蔽させることが可能となる。従って施工性を向上させ、外観を優れたものとすることができるとともに壁板材９０、９１を保護することも可能となる。
【００４９】
以上、現時点において、もっとも実践的であり、かつ好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う隅部見切部材及び該隅部見切部材を用いた外壁もまた本発明の技術的範囲に包含されるものとして理解されなければならない。
【図面の簡単な説明】
【００５０】
【図１】第一実施形態に係る入隅見切部材の斜視図である。
【図２】図１に示した入隅見切部材の横断面図である。
【図３】第二実施形態に係る入隅見切部材の横断面図である。
【図４】第三実施形態に係る入隅見切部材の横断面図である。
【図５】第一実施形態に係る入隅見切部材が備えられた外壁の断面図である。
【図６】図５に示した断面のうち、入隅見切部材が具備された部位に注目して示した拡大図である。
【図７】入隅見切部材に壁板材が差し込まれて配置された姿勢を模式的に示した斜視図である。
【図８】出隅見切部材について説明するための図である。
【図９】従来における入隅部の構成を説明するための図である。
【符号の説明】
【００５１】
１０  入隅見切部材（隅部見切部材）
１１、１２、１７  片（ベース片）
１３、１４、１５、１６  片（Ｌ字状片）
２０  入隅見切部材（隅部見切部材）
２１、２２、２７  片（ベース片）
２３、２４、２５、２６  片（Ｌ字状片）
３０  入隅見切部材（隅部見切部材）
３１、３２  片（ベース片）
３３、３４  片（Ｌ字状片）
５０  躯体
５１、５２  内壁材
５３、５４  断熱材
５７、５８  躯体
５９、６０  下地材
６１、６２、６３、６４、６５、６６  固定部材
６７、６８  壁板材
【図１】
2009293313.tif 000003
【図２】
2009293313.tif 000004
【図３】
2009293313.tif 000005
【図４】
2009293313.tif 000006
【図５】
2009293313.tif 000007
【図６】
2009293313.tif 000008
【図７】
2009293313.tif 000009
【図８】
2009293313.tif 000010
【図９】
2009293313.tif 000011